(57)【要約】【課題】  本発明は、浴室内用リモートコントローラと、浴室外用リモートコントローラとの間で会話が容易にできるとともに、浴室内の雑音が外部に漏れない浴室消音機能付リモートコントローラに関するものである。【解決手段】  浴室音解析分離装置は、マイクロフォンによって取得した信号の周波数を解析して、雑音信号を分離する。前記浴室音解析分離装置により分離された雑音信号は、位相反転装置により位相を反転する。スピーカは、位相が反転された雑音信号を浴室内に出力し、前記浴室内の雑音信号と相殺する。したがって、前記浴室内の雑音は、浴室外用リモートコントローラに送信されないだけでなく、浴室の外に雑音として出力されない。【選択図】    図１
2006011109.tif 000002
【特許請求の範囲】
【請求項１】
浴室内の音を取得することが可能なマイクロフォンと、
前記マイクロフォンによって取得した信号の周波数を解析して、音声信号と雑音信号とを分離する浴室音解析分離装置と、
前記浴室音解析分離装置により分離された雑音信号の位相を反転する位相反転装置と、
前記位相反転装置によって位相が反転された雑音信号を浴室内に出力する出力装置と、
を少なくとも備えていることを特徴とする浴室消音機能付リモートコントローラ。
【請求項２】
前記浴室音解析分離装置は、前記マイクロフォンによって取得した信号から雑音信号の周波数を周波数記憶装置に記憶させておき、
リモートコントローラに設けられたスイッチにより、前記周波数記憶装置に記憶されている周波数の位相を反転させることを特徴とする請求項１に記載された浴室消音機能付リモートコントローラ。
【請求項３】
前記周波数記憶装置に記憶されている少なくとも一つの周波数帯域をリモートコントローラに設けられたスイッチにより選択できることを特徴とする請求項２に記載された浴室消音機能付リモートコントローラ。
【請求項４】
前記浴室音解析分離装置は、前記マイクロフォンによって取得した信号から雑音信号の波形を波形記憶装置に記憶させておき、
リモートコントローラに設けられたスイッチにより、前記波形記憶装置に記憶されている波形の位相を反転させることを特徴とする請求項１に記載された浴室消音機能付リモートコントローラ。
【請求項５】
前記浴室音解析分離装置は、前記マイクロフォンによって取得した信号から低レベル雑音信号の波形を低レベル雑音記憶装置に記憶させておき、
前記低レベル雑音記憶装置に記憶されている波形の位相を反転させることを特徴とする請求項１に記載された浴室消音機能付リモートコントローラ。
【請求項６】
前記浴室音解析分離装置は、
前記周波数、波形、低レベル雑音の少なくとも二つを解析し、それぞれの波形の位相を反転して出力することを特徴とする請求項１から請求項５のいずれか１項に記載された浴室消音機能付リモートコントローラ。
【請求項７】
浴室内の音を取得することが可能なマイクロフォンと、
前記浴室音解析分離装置により音声信号の内の特定狭帯域を分離するフィルタと、
前記特定狭帯域の音声信号以外の音声信号と雑音信号の位相を反転する位相反転装置と、
前記位相反転装置によって位相が反転された一部音声信号を含む雑音信号と、前記特定狭帯域の音声信号とを浴室内に出力する出力装置と、
を少なくとも備えている浴室内用リモートコントローラと；
マイクロフォンおよびスピーカを有するとともに、前記浴室内用リモートコントローラと通信可能な通信手段を少なくとも備えている浴室外用リモートコントローラと；
からなることを特徴とする浴室消音機能付リモートコントローラ。
【発明の詳細な説明】
【技術分野】
【０００１】
本発明は、浴室内用リモートコントローラと、浴室外用リモートコントローラとの間で会話が容易にできるとともに、浴室内の雑音が外部に漏れない浴室消音機能付リモートコントローラに関するものである。
【背景技術】
【０００２】
前記浴室内にいる利用者と浴室外にいる者とは、コミュニケーションが必要な場合がある。特に、浴室内に老人や障害者がいる場合、前記コミュニケーションは、正確に行なわれる必要がある。
【０００３】
浴室内に設置されているリモートコントローラ、および浴室外、たとえば、台所に設置されているリモートコントローラは、双方にマイクロフォンとスピーカが備えられており、互いの利便性を高めている。前記機能を搭載した浴室装置は、近年一般的になってきた。
【０００４】
また、入浴のスタイルは、生活様式の多様化により、深夜または早朝等にも及ぶようになってきた。前記深夜または早朝の入浴は、浴室内から発生する雑音が家族や周辺住民に聞こえて迷惑になる。また、前記時間帯の利用者は、家族や周辺住民に気兼ねして、入浴が制限されるようなこともある。
【０００５】
前記不便を解消するために、たとえば、特開平７−１２９１８３号公報における発明は、低周波数成分の多い雑音や振動を除去するために、受動型の消音に比して高効率の浴室用能動消音システムを使用している。また、特開平７−７６９３８号公報における発明は、能動消音による快適な入浴環境にするために、ハンドフリーの電話機能を備えた浴槽にしている。
【特許文献１】特開平７−１２９１８３号公報
【特許文献２】特開平７−７６９３８号公報
【発明の開示】
【発明が解決しようとする課題】
【０００６】
前記特許文献１および特許文献２における発明は、いずれも、浴室内の雑音を消音装置によって除去しようとするものである。しかし、入浴スタイルの多様化による浴室内の雑音を除去する浴室用消音装置は、高価となり、どの浴室にも設置できるものではない。
【０００７】
以上のような課題を解決するために、本出願人は、すでに、設置されているか、あるいは、これから設置しようとする浴室消音機能付リモートコントローラのマイクロフォンとスピーカに着目した浴室用消音装置を考えた。
【０００８】
本発明は、前記浴室内用リモートコントローラに設置されているマイクロフォンとスピーカを通信手段として使用すると同時に、消音装置にも利用して、最低、位相反転装置のみを付加するだけで安価な浴室消音機能付リモートコントローラを提供することを目的とする。
【課題を解決するための手段】
【０００９】
（第１発明）
第１発明の浴室消音機能付リモートコントローラは、浴室内の音を取得することが可能なマイクロフォンと、前記マイクロフォンによって取得した信号の周波数を解析して、音声信号と雑音信号とを分離する浴室音解析分離装置と、前記浴室音解析分離装置により分離された雑音信号の位相を反転する位相反転装置と、前記位相反転装置によって位相が反転された雑音信号を浴室内に出力する出力装置とを少なくとも備えていることを特徴とする。
【００１０】
（第２発明）
第２発明の浴室消音機能付リモートコントローラは、第１発明の浴室音解析分離装置がマイクロフォンによって取得した信号から雑音信号の周波数を周波数記憶装置に記憶させておき、リモートコントローラに設けられたスイッチにより、前記周波数記憶装置に記憶されている周波数の位相を反転させることを特徴とする。
【００１１】
（第３発明）
第３発明の浴室消音機能付リモートコントローラは、第２発明の周波数記憶装置に記憶されている少なくとも一つの周波数帯域をリモートコントローラに設けられたスイッチにより選択できることを特徴とする。
【００１２】
（第４発明）
第４発明の浴室消音機能付リモートコントローラは、第１発明の浴室音解析分離装置がマイクロフォンによって取得した信号から雑音信号の波形を波形記憶装置に記憶させておき、リモートコントローラに設けられたスイッチにより、前記波形記憶装置に記憶されている波形の位相を反転させることを特徴とする。
【００１３】
（第５発明）
第５発明の浴室消音機能付リモートコントローラは、第１発明の浴室音解析分離装置がマイクロフォンによって取得した信号から低レベル雑音信号の波形を低レベル雑音記憶装置に記憶させておき、前記低レベル雑音記憶装置に記憶されている波形の位相を反転させることを特徴とする。
【００１４】
（第６発明）
第６発明の浴室消音機能付リモートコントローラは、第１発明から第５発明における浴室音解析分離装置が周波数、波形、低レベル雑音の少なくとも二つを解析し、それぞれの波形の位相を反転して出力することを特徴とする。
【００１５】
（第７発明）
第７発明の浴室消音機能付リモートコントローラは、浴室内の音を取得することが可能なマイクロフォンと、浴室音解析分離装置により音声信号の内の特定狭帯域を分離するフィルタと、前記特定狭帯域の音声信号以外の音声信号と雑音信号の位相を反転する位相反転装置と、前記位相反転装置によって位相が反転された一部音声信号を含む雑音信号と、前記特定狭帯域の音声信号とを浴室内に出力する出力装置と、を少なくとも備えている浴室内用リモートコントローラと    ；マイクロフォンおよびスピーカを有するとともに、前記浴室内用リモートコントローラと通信可能な通信手段を少なくとも備えている浴室外用リモートコントローラと；からなることを特徴とする。
【発明の効果】
【００１６】
本発明によれば、浴室内用リモートコントローラに設置されているマイクロフォンとスピーカを利用した安価な浴室消音機能付リモートコントローラにより、深夜や早朝における利用者が家族や周辺住民に対して気兼ねせずに入浴できるようになった。
【００１７】
本発明によれば、浴室内の雑音を除去できるため、リモートコントローラによる会話が明瞭にでき、老人や障害者であっても、安心して入浴を行なうことができるようになった。
【発明を実施するための最良の形態】
【００１８】
（第１発明）
第１発明の浴室消音機能付リモートコントローラは、浴室内用と浴室外用がそれぞれ通信手段によって接続されており、互いに会話を行うことができる。前記浴室内用リモートコントローラは、マイクロフォンとスピーカを備えており、単に通信のみに使用されているだけであった。本出願人は、前記浴室内用リモートコントローラのマイクロフォンとスピーカに着目し、会話に使用するだけでなく、浴室内の消音に利用することを考えた。
【００１９】
前記浴室消音機能付リモートコントローラにおいて、マイクロフォンは、浴室内の音を取得することが可能である。浴室音解析分離装置は、前記マイクロフォンによって取得した信号の周波数を解析して、雑音信号を分離する。前記雑音信号の分離は、たとえば、前記浴室内の音をフーリェ級数の展開により、容易にできる。
【００２０】
位相反転装置は、前記浴室音解析分離装置により分離された雑音信号の位相を反転する。たとえば、出力装置は、前記反転された雑音信号を所定のレベルに増幅する。スピーカは、位相が反転された雑音信号を浴室内に出力し、前記浴室内の雑音信号と相殺する。したがって、前記浴室内の雑音は、浴室外用リモートコントローラに送信されないだけでなく、浴室の外に雑音として出力されない。
【００２１】
前記位相の反転された雑音信号は、浴室内で発生する雑音信号と相殺されて雑音信号のレベルを低下させる。前記浴室内の音声信号は、雑音信号のレベルが低下された状態でマイクロフォンを通して出力されるため、浴室内における雑音が外部に漏れないだけでなく、会話の内容が浴室外用リモートコントローラのスピーカから明瞭に聞こえるようになる。
【００２２】
特に、年寄りあるいは障害者は、聞き取れる音域が狭いため、浴室内の雑音により会話の内容が聞き取れない場合があるが、本発明により前記欠点を除去することができる。また、深夜あるいは早朝の入浴者は、家族や周辺住民に対して気兼ねなく入浴することができる。
【００２３】
（第２発明）
第２発明の浴室消音機能付リモートコントローラは、マイクロフォンによって取得した信号から雑音信号の周波数を予め周波数記憶装置に記憶させておく。前記周波数記憶装置に記憶された周波数は、リモートコントローラに設けられたスイッチにより選択された後、位相が反転される。
【００２４】
浴室内の雑音は、湯沸器の音、水やお湯の流れる音、洗う際の流し音等、特定できるため、前記特定された雑音を予め周波数として、周波数記憶装置に記憶される。深夜または早朝に入浴したい場合、あるいは、浴室内外のリモートコントローラによる会話が聞こえ難い場合、スイッチを入れることにより、前記周波数記憶装置に記憶された雑音となる周波数は、位相が反転されてスピーカから出力して、雑音を相殺するため、浴室内の雑音がなくなり、家族や周辺住民に対する気兼ねがなく、また、リモートコントローラを通した会話が聞こえ易くなる。
【００２５】
（第３発明）        
第３発明の浴室消音機能付リモートコントローラは、浴室内の雑音が湯沸器の音、水やお湯の流れる音、洗う際の流し音等、特定できるため、前記雑音の内の少なくとも一つの周波数帯域をリモートコントローラに設けられたスイッチにより、周波数記憶装置から選択する。前記選択された周波数帯域は、位相が反転されて、スピーカから出力し、雑音を相殺する。
【００２６】
（第４発明）
第４発明の浴室消音機能付リモートコントローラは、前記マイクロフォンによって取得した信号から雑音信号の波形群に注目し、前記雑音の波形を波形記憶装置に記憶させる。浴室内の雑音は、水を流す波形群、湯沸器の音からなる波形群としてそれぞれを特定して記憶することができる。前記波形記憶装置は、リモートコントローラに設けられたスイッチにより、少なくとも一つの波形群が選択される。
【００２７】
前記選択された波形群は、位相反転装置によって前記波形群の位相を反転させることにより、雑音が相殺される。前記スイッチの選択は、浴室内の音が家族や周辺住民に迷惑をかける深夜または早朝等の時間帯に使用することで、どんな時間帯であっても、入浴が可能になる。
【００２８】
（第５発明）
第５発明の浴室消音機能付リモートコントローラは、雑音信号を周波数あるいは波形に着目するのではなく、雑音を一つの低レベル雑音として処理するものである。浴室内の雑音は、積極的に大きなレベルのものでなく、湯沸器の音、水やお湯の流れる音、洗う際の流し音等の低レベルのものが複合している場合が多い。
【００２９】
低レベル雑音記憶装置は、マイクロフォンから取得した信号で、低レベル雑音信号の波形が記憶される。位相反転装置は、前記低レベル雑音記憶装置に記憶された低レベル雑音の波形の位相を反転させる。
【００３０】
（第６発明）
第６発明の浴室消音機能付リモートコントローラは、周波数、波形、低レベル雑音の一つに着目するのではなく、これらの少なくとも二つに着目して処理するものである。浴室音解析分離装置は、周波数、波形、低レベル雑音の二つまたは三つについて、予め雑音となる周波数等を選択し、これらの波形の位相を反転して出力することにより、雑音の波形を相殺する。
【００３１】
（第７発明）
第７発明の浴室消音機能付リモートコントローラは、音声信号の内の特定狭帯域をフィルタにより選択し、その他の帯域の信号を位相反転装置により、反転させて、スピーカから出力することにより、浴室内の雑音を相殺しようとするものである。
【００３２】
音声信号の狭帯域は、多少の違和感があっても、内容を正確に伝えることができるものである。第７発明は、最低必要な狭い帯域の音声信号だけを残し、その他の周波数からなる雑音信号の位相を反転して、打ち消すようにしているため、雑音信号を徹底的に減らすことができ、浴室外に雑音を出さないようにすることができるだけでなく、緊急の場合における話しの内容を正確に伝えるのに支障を来さない。
【実施例１】
【００３３】
図１は本発明の第１実施例である浴室消音機能付リモートコントローラを説明するための概略ブロック構成図である。図１において、浴室内用リモートコントローラ１１は、前記浴室内用リモートコントローラ１１の外部に一部が出ているマイクロフォン１２と、スピーカ１６と、スイッチ１８とから構成されている。前記マイクロフォン１２およびスピーカ１６は、通常のリモートコントローラであれば、全部備えているものである。
【００３４】
第１実施例は、たとえば、前記スイッチ１８以外に、浴室内用リモートコントローラ１１の内部に、浴室音解析分離装置１３と、位相反転装置１４と、出力装置１５と、記憶装置１７とが備えられている。
【００３５】
前記浴室音解析分離装置１３は、マイクロフォン１２から入力された雑音の位相を前記位相反転装置１４により反転し、その反転信号を出力装置１５で所定レベルに増幅した後、たとえば、スピーカ１６から出力し、浴室内の雑音と相殺することにより、浴室内の雑音レベルを低下させている。また、前記浴室音解析分離装置１３は、音声信号と浴室内の雑音とを周波数および波形等により、雑音のみを分離することができる。
【００３６】
前記音声信号は、会話であるため、予め周波数および波形を記憶装置１７に記憶させておき、相関関係をみることにより分離することができる。また、雑音信号は、水やお湯の流れる音、換気扇や温水機の音、体を流す音等、会話とは明らかに異なる周波数および波形をしているため、前記浴室音解析分離装置１３によって分離することができる。
【００３７】
また、図１に示す別の例は、マイクロフォン１２により予め取得した雑音を記憶装置１７に記憶しておき、深夜または早朝に入浴したい場合等に、スイッチ１８を押して、前記記憶装置１７に記憶されている雑音を浴室音解析分離装置１３により取得し、位相反転装置１４により、位相を反転させ、必要により、出力装置１５で増幅した後、スピーカ１６から出力し、浴室内雑音を相殺する。前記記憶装置１７には、水やお湯の流れる音、換気扇や温水機の音、体を流す音等を別々の周波数や波形として記憶させることができる。
【実施例２】
【００３８】
図２は本発明の第２実施例で、浴室内の雑音が異なる手段により分離される装置を説明するための概略ブロック構成図である。図２において、浴室内用リモートコントローラ１１′は、第１実施例における浴室音解析分離装置１３の改良例を説明するものである。マイクロフォン１２は、浴室内雑音を取得し、周波数解析装置１３１により前記周波数を分析した後、雑音のみを周波数記憶装置１３２に記憶する。前記記憶された周波数は、その位相を位相反転装置１４により反転させ、必要に応じて、出力装置１５により増幅した後、浴室内用リモートコントローラ１１′のスピーカ１６から出力することにより消音している。
【００３９】
前記周波数解析装置１３１は、たとえば、マイクロフォン１２によって取得した周波数をフーリェ変換して展開することにより、音声信号と雑音信号とを分離することができる。
【００４０】
また、マイクロフォン１２は、浴室内雑音を取得して、周波数解析装置１３１により、雑音周波数を周波数記憶装置１３２に記憶する。深夜または早朝に入浴したい者は、スイッチ１８を投入することにより、前記周波数記憶装置１３２に記憶されている周波数の位相を位相反転装置１４により反転させて、スピーカ１６から出力させることにより消音している。
【００４１】
また、マイクロフォン１２は、浴室内雑音を取得して、周波数解析装置１３１により雑音の波形を波形記憶装置１３３に記憶させる。深夜または早朝に入浴したい者は、スイッチ１８により、前記波形記憶装置１３３に記憶されている波形の位相を位相反転装置１４により反転させて、スピーカ１６から出力させることにより消音している。
【００４２】
さらに、マイクロフォン１２は、浴室内雑音を取得して、周波数解析装置１３１により雑音の中の低レベル雑音を解析し、前記低レベル雑音を低レベル雑音記憶装置１３４に記憶させる。深夜または早朝に入浴したい者は、スイッチ１８により、前記低レベル雑音記憶装置１３４に記憶されている低レベル雑音の位相を位相反転装置１４により反転させて、スピーカ１６から出力させることにより消音している。
【００４３】
周波数記憶装置１３２、波形記憶装置１３３、および低レベル雑音記憶装置１３４は、雑音がそれぞれ異なる形で記憶されているため、スイッチ１８により、少なくとも一つを選択するようにすることもできる。前記スイッチ１８により全部を選択した場合、浴室内雑音は、大幅に消音することができる。
【実施例３】
【００４４】
図３は本発明の第３実施例で、浴室内の雑音と音声信号とを両立させるための装置を説明するための概略ブロック構成図である。図３において、浴室内用リモートコントローラ３１は、マイクロフォン３２、スピーカ３３、スイッチ３４、狭帯域フィルタ３５と、音声信号記憶装置３６、位相反転装置３７、出力装置３８から少なくとも構成されている。
【００４５】
マイクロフォン３２から取得された音声信号および雑音信号は、狭帯域フィルタ３５により、音声信号と雑音信号に分離される。前記音声信号は、必要に応じて、音声信号記憶装置３６に一時記憶された後、所定のレベルに増幅され、浴室外用リモートコントローラ（図示されていない）にあるスピーカ４０から出力して、浴室の内外で通話ができる。
【００４６】
狭帯域フィルタ３５により分離された雑音信号は、位相反転装置３７により、位相が反転され、出力装置３８により所定のレベルに増幅された後、浴室内のスピーカ３３から出力することにより、雑音信号が相殺されて、浴室内が低レベルの雑音のみになる。
【００４７】
狭帯域フィルタ３５は、音声信号として必要な最低限の周波数のみを通過できるようなものであり、その他を雑音信号とする。すなわち、前記音声信号には、わずかな雑音が入るのみで、浴室内の雑音を除去することができる。浴室の内外における通話は、多少違和感があっても、長時間話すためのものではないため、正確に互いの意志が伝達できればよい。
【産業上の利用可能性】
【００４８】
以上、本発明の実施例を詳述したが、本発明は、前記実施例に限定されるものではない。そして、本発明は、特許請求の範囲に記載された事項を逸脱することがなければ、種々の設計変更を行うことが可能である。本発明の実施例に記載されたブロック構成図は、公知または周知の技術により達成できるものである。
【図面の簡単な説明】
【００４９】
【図１】本発明の第１実施例である浴室消音機能付リモートコントローラを説明するための概略ブロック構成図である。（実施例１）
【図２】本発明の第２実施例で、浴室内の雑音が異なる手段により分離される装置を説明するための概略ブロック構成図である。（実施例２）
【図３】本発明の第３実施例で、浴室内の雑音と音声信号とを両立させるための装置を説明するための概略ブロック構成図である。（実施例３）
【符号の説明】
【００５０】
１１、１１′、３１・・・浴室内用リモートコントローラ
１２、３２・・・マイクロフォン
１３・・・浴室音解析分離装置
１４・・・位相反転装置
１５・・・出力装置
１６、３３、４０・・・スピーカ
１７・・・記憶装置
１８、３４・・・スイッチ
１３１・・・周波数解析装置
１３２・・・周波数記憶装置
１３３・・・波形記憶装置
１３４・・・低レベル雑音記憶装置
１３６・・・増幅装置
３５・・・狭帯域フィルタ
３６・・・音声信号記憶装置
３７・・・位相反転装置
３８・・・出力装置
【図１】
2006011109.tif 000003
【図２】
2006011109.tif 000004
【図３】
2006011109.tif 000005